【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
単一キャリア周波数分割多重アクセス（ＳＣ−ＦＤＭＡ）基盤アップリンクを有する無線通信ネットワーク（ＷＣＮ）と関連付けられたネットワーク基盤無線定位システム（ＷＬＳ）において使用するための受信機感度向上方法であって、前記ＷＣＮは、周波数領域および時間領域の双方における物理的リソースの動的スケジューリングを使用し、ダウンリンクおよびアップリンク電磁波リソースの双方は、ｅＮｏｄｅＢ（ｅＮＢ）の制御下にある方法であって、
位置測定ユニット（ＬＭＵ）がより長期間に亘ってアップリンク信号測定値を積分できるようにするため、半永続スケジューリング（ＳＰＳ）機能を使用するステップを備え、 前記ｅＮＢは、関心対象ユーザ機器（ＵＥ）についてリソースブロック（ＲＢ）割り当てパターンを設定するために前記ＳＰＳ機能を使用し、前記ＲＢ割り当てパターンは、複数の時間周期の規定されたＲＢにおいて関心対象ＵＥにアップリンク信号を送信させ、各ＲＢは、関心対象ＵＥがアップリンク信号を送信するよう許可されている周波数帯域および時間スロットに及ぶ複数のサブキャリアを含むことを特徴とする方法。
【請求項２】
前記ＳＰＳ機能は、アップリンク送信のために使用される周波数および変調方式を含むアップリンクリソースをＵＥに通知するために採用されることを特徴とする請求項１に記載の方法。
【請求項３】
前記ネットワーク基盤ＷＬＳは、前記ＵＥによって送信されたアップリンク信号に対する前記受信機感度を向上するために前記ＳＰＳ機能を使用する、地理的に分布した受信機ネットワークを備えることを特徴とする請求項２に記載の方法。
【請求項４】
前記ＳＰＳ機能は、ＬＭＵが動的スケジューリングシステムによって許容されたよりも長い期間に亘って既知の物理的リソースに関する電磁波データを収集することができるように、アップリンク到達時間差（Ｕ−ＴＤＯＡ）および／または到達角度差（ＡｏＡ）定位のために利用可能であることを特徴とする請求項３に記載の方法。
【請求項５】
前記ＳＰＳ機能はさらに、信号収集時間を延長する一方で、アップリンク受信機リソースのスケジューリングのために採用されることを特徴とする請求項４に記載の方法。
【請求項６】
前記アップリンク信号測定値は、時間基盤測定値を含むことを特徴とする請求項５に記載の方法。
【請求項７】
前記アップリンク信号測定値は、出力基盤測定値を含むことを特徴とする請求項５に記載の方法。
【請求項８】
アップリンク信号測定値は、角度基盤測定値を含むことを特徴とする請求項５に記載の方法。
【請求項９】
前記ＵＥは、エアインタフェースを介してサービス中のｅＮＢと通信し、
前記エアインタフェースは、直交周波数分割多重アクセス（ＯＦＤＭＡ）基盤ダウンリンクと、ＳＣ−ＦＤＭＡ基盤アップリンクとを備えることを特徴とする請求項５に記載の方法。
【請求項１０】
前記ＷＬＳにタスクを課すステップと、
前記ＵＥからのアップリンク信号の検出および参照ＬＭＵとしての役割に最も相応しいＬＭＵを識別するステップと、
協働ＬＭＵとしての役割を果たす追加ＬＭＵを識別するステップとをさらに備え、
前記参照ＬＭＵと前記協働ＬＭＵとは、同期化時間でアップリンク信号を収集し、前記参照ＬＭＵは、参照信号を抽出し、参照信号到達時間（ＴＯＡ）を判定することを特徴とする請求項５に記載の方法。
【請求項１１】
基底域信号を収集するために前記協働ＬＭＵを採用するステップと、
デジタルデータバックホールを介し、サービス中の移動体定位センター（ＳＭＬＣ）に前記参照信号ＴＯＡを送信するステップと、
前記デジタルデータバックホールを介し、前記協働ＬＭＵに前記参照信号を転送するステップと、
前記協働ＬＭＵにて、前記参照信号との相互相関を実施するステップと、
前記協働ＬＭＵに追加処理ゲインを提供するために、記号期間に比して長い積分長を採用するステップと、
前記協働ＬＭＵから前記ＳＭＬＣにＵ−ＴＤＯＡ測定値を送信するステップとをさらに備えることを特徴とする請求項１０に記載の方法。
【請求項１２】
前記ＵＥアップリンク信号が送信される周波数帯域は、１８０ｋＨｚ帯域で１２のサブキャリアに分割され、
各帯域は、０．５ミリ秒のスロットに時間分割され、前記スロットは１．０ミリ秒のサブフレームにグループ化され、
前記１２のサブキャリアとサブフレームとの交差は、各ＲＢを規定し、
前記ｅＮＢは、関心対象ＵＥについてＲＢの既知のパターンを設定するために、前記ＳＰＳ機能を使用することを特徴とする請求項１に記載の方法。
【請求項１３】
単一キャリア周波数分割多重アクセス（ＳＣ−ＦＤＭＡ）基盤アップリンクを有する無線通信ネットワーク（ＷＣＮ）と関連付けられたネットワーク基盤無線定位システム（ＷＬＳ）において使用するための受信機感度向上方法であって、前記ＷＣＮは、周波数領域および時間領域の双方における物理的リソースの動的スケジューリングを使用し、ダウンリンクおよびアップリンク電磁波リソースの双方は、ｅＮｏｄｅＢ（ｅＮＢ）の制御下にある方法であって、
位置測定ユニット（ＬＭＵ）がより長期間に亘ってアップリンク信号測定値を積分できるようにするため、半永続スケジューリング（ＳＰＳ）機能を使用するステップを備え、
ユーザ機器（ＵＥ）アップリンク信号が送信される周波数帯域は、１８０ｋＨｚ帯域で１２のサブキャリアに分割され、
各帯域は、０．５ミリ秒のスロットに時間分割され、前記スロットは１．０ミリ秒のサブフレームにグループ化され、
前記１２のサブキャリアとサブフレームとの交差は、各リソースブロック（ＲＢ）を規定し、
前記ｅＮＢは、関心対象ＵＥについてリソースブロックの既知のパターンを設定するために、前記ＳＰＳ機能を使用し、
第１周期において、前記関心対象ＵＥは、２つのリソースブロックを使用して送信することを許可され、或るＵＥが２つ以上のＲＢを必要とする場合、前記ｅＮＢは、前記周波数領域において、２つ以上の追加連続リソースブロックを割り当てることを特徴とする方法。
【請求項１４】
単一キャリア周波数分割多重アクセス（ＳＣ−ＦＤＭＡ）基盤アップリンクを有する無線通信ネットワーク（ＷＣＮ）と関連付けられたネットワーク基盤無線定位システム（ＷＬＳ）において使用するための受信機感度向上方法であって、前記ＷＣＮは、周波数領域および時間領域の双方における物理的リソースの動的スケジューリングを使用し、ダウンリンクおよびアップリンク電磁波リソースの双方は、ｅＮｏｄｅＢ（ｅＮＢ）の制御下にある方法であって、
位置測定ユニット（ＬＭＵ）がより長期間に亘ってアップリンク信号測定値を積分できるようにするため、半永続スケジューリング（ＳＰＳ）機能を使用するステップを備え、
ユーザ機器（ＵＥ）アップリンク信号が送信される周波数帯域は、１８０ｋＨｚ帯域で１２のサブキャリアに分割され、
各帯域は、０．５ミリ秒のスロットに時間分割され、前記スロットは１．０ミリ秒のサブフレームにグループ化され、
前記１２のサブキャリアとサブフレームとの交差は、各リソースブロック（ＲＢ）を規定し、
前記ｅＮＢは、関心対象ＵＥについてＲＢの既知のパターンを設定するために、前記ＳＰＳ機能を使用し、
第１周期において、前記関心対象ＵＥは、ＲＢを使用して送信することを許可され、或るＵＥが２つ以上のＲＢを必要とする場合、前記ｅＮＢは、前記周波数領域において、２つ以上の追加非連続ＲＢを割り当てることを特徴とする方法。
【請求項１５】
前記ｅＮＢは、周波数ホッピングまたは選択されたキャリアの拡大を通じて利用可能なスペクトル帯域幅に亘ってＲＢパターンを分布させることにより、ＳＰＳパターンを最適化することで、帯域幅合成の使用により、到達時間差（ＴＤＯＡ）定位精度をさらに向上できるようにすることを特徴とする請求項１３に記載の方法。
【請求項１６】
より広い帯域幅に亘ってアップリンク信号を収集するため、サウンディング参照信号（ＳＲＳ）を採用するステップをさらに備えることを特徴とする請求項１に記載の方法。
【請求項１７】
単一キャリア周波数分割多重アクセス（ＳＣ−ＦＤＭＡ）基盤アップリンクを有する無線通信ネットワーク（ＷＣＮ）と関連付けられたネットワーク基盤無線定位システム（ＷＬＳ）において使用するための受信機感度向上方法であって、前記ＷＣＮは、周波数領域および時間領域の双方における物理的リソースの動的スケジューリングを使用し、ダウンリンクおよびアップリンク電磁波リソースの双方は、ｅＮｏｄｅＢ（ｅＮＢ）の制御下にある方法であって、
位置測定ユニット（ＬＭＵ）がより長期間に亘ってアップリンク信号測定値を積分できるようにするため、半永続スケジューリング（ＳＰＳ）機能を使用するステップと、
より広い帯域幅に亘ってアップリンク信号を収集するため、サウンディング参照信号（ＳＲＳ）を使用するステップとを備え、
前記ｅＮＢは、ユーザ機器（ＵＥ）にＳＲＳを送信するよう指示し、前記ＵＥのアップリンクＳＲＳ送信は、前記受信したアップリンク信号の時間分解能を向上するためにＷＬＳによって使用されることを特徴とする方法。
【請求項１８】
前記ＳＲＳの拡大された帯域幅は、到達時間差（ＴＤＯＡ）基盤位置計算の性能を向上するために使用されることを特徴とする請求項１７に記載の方法。
【請求項１９】
前記ｅＮＢは、前記ＵＥに、アップリンク到達時間差（Ｕ−ＴＤＯＡ）定位の際に前記ＳＲＳを送信するよう指示し、前記ＬＭＵは、より広い帯域幅に亘って無線周波数（ＲＦ）データを収集することにより、マルチパス環境においてより正確なＴＤＯＡ測定値が得られるようにすることを特徴とする請求項１８に記載の方法。
【請求項２０】
ＳＲＳ送信は、前記送信の既知の時間／周波数部分において、各直交周波数分割多重（ＯＦＤＭ）記号とともに送信され、定位に関与のＬＭＵは、前記ＵＥからのリソースブロックおよびＳＲＳ送信を受信することを特徴とする請求項１９に記載の方法。
【請求項２１】
ＳＰＳおよびＳＲＳ信号の双方は、Ｕ−ＴＤＯＡ定位に使用されることにより、アップリンクＳＰＳ送信の積分がより長くなることに起因する感度の向上と、アップリンクＳＲＳ送信の帯域幅がより広くなることに起因する遅延拡大の低減とをもたらすことを特徴とする請求項２０に記載の方法。
【請求項２２】
局所的電磁波伝播環境に基づく定位性能の向上、または、局所展開された無線定位リソースの利用のために、定位関連アップリンク信号送信の調整を行うステップをさらに備えることを特徴とする請求項１に記載の方法。
【請求項２３】
利用可能な信号収集時間、帯域幅、および出力を制御する調整可能なパラメータを動的に最適化する以下のステップを備え、以下のステップとは、
データベースを介してｅＮＢに、アップリンク設定構成データ（ＵＳＣＤ）を提供するステップと、
定位要求またはトリガを受信するステップと、
現在のＵＥアップリンクパラメータ設定、アップリンク信号測定値、およびサービス中のセル識別を使用して、前記定位要求に最も相応しい前記ＵＳＣＤを見出すためにデータベース検索を実施するステップと、
前記関心対象ＵＥのための特別対応要求の一部として、前記ｅＮＢに前記ＵＳＣＤを転送するステップと、
前記特別対応要求に応じて、前記ＵＥにそのアップリンク送信パラメータを変更させるために、前記ｅＮＢを採用するステップと、
ＬＭＵ受信機に、前記ＵＥからのアップリンク送信を受信するようタスクを課すステップと、
前記ＵＥアップリンク信号に対して信号収集および合致する複製との相関処理を実施するため、前記ＬＭＵ受信機を使用して、信号到達時間差（ＴＤＯＡ）情報を判定するステップと、
前記信号ＴＤＯＡ情報を使用して、最終位置および位置誤差推定を計算するステップとであることを特徴とする請求項２２に記載の方法。
【請求項２４】
周波数領域および時間領域の双方における物理的リソースの動的スケジューリングに依存する単一キャリア周波数分割多重アクセス（ＳＣ−ＦＤＭＡ）基盤無線通信ネットワークと関連付けられたネットワーク基盤無線定位システム（ＷＬＳ）において使用するための受信機感度向上方法であって、ダウンリンクおよびアップリンク電磁波リソースの双方は、ｅＮｏｄｅＢ（ｅＮＢ）の制御下にある方法であって、
位置測定ユニット（ＬＭＵ）がより広い帯域幅に亘ってアップリンク信号測定値を収集できるようにするため、サウンディング参照信号（ＳＲＳ）を使用するステップを備え、
前記ＳＲＳの拡大された帯域幅は、到達時間差（ＴＤＯＡ）基盤位置計算の性能を向上するために使用され、
前記ｅＮＢは、ユーザ機器（ＵＥ）に、アップリンク到達時間差（Ｕ−ＴＤＯＡ）定位の際に前記ＳＲＳを送信するよう指示し、前記ＬＭＵは、より広い帯域幅に亘って無線周波数（ＲＦ）データを収集することにより、マルチパス環境においてより正確なＴＤＯＡ測定値が得られるようにし、
ＳＲＳ送信は、前記送信の既知の時間／周波数部分において、各直交周波数分割多重（ＯＦＤＭ）記号とともに送信され、定位に関与のＬＭＵは、前記ＵＥからのＳＲＳ送信を受信することを特徴とする方法。
【請求項２５】
周波数領域および時間領域の双方における物理的リソースの動的スケジューリングに依存する単一キャリア周波数分割多重アクセス（ＳＣ−ＦＤＭＡ）基盤無線通信ネットワークと関連付けられたネットワーク基盤無線定位システム（ＷＬＳ）であって、ダウンリンクおよびアップリンク電磁波リソースの双方は、ｅＮｏｄｅＢ（ｅＮＢ）の制御下にあり、ユーザ機器（ＵＥ）は、エアインタフェースを介してサービス中のｅＮＢと通信し、前記エアインタフェースは、直交周波数分割多重アクセス（ＯＦＤＭＡ）基盤ダウンリンクと、ＳＣ−ＦＤＭＡ基盤アップリンクとを備え、前記ネットワーク基盤無線定位システム（ＷＬＳ）は、
地理的に分散した位置測定ユニット（ＬＭＵ）のネットワークと、
前記ｅＮＢと通信し、少なくとも１つのＬＭＵがより長い期間に亘ってアップリンク信号測定値を積分できるように半永続スケジューリング（ＳＰＳ）機能を使用するサービス中の移動体定位センター（ＳＭＬＣ）とを備え、
前記ＳＰＳ機能は、関心対象ＵＥについてリソースブロック（ＲＢ）割り当てパターンを設定するために採用され、前記ＲＢ割り当てパターンは、複数の時間周期の規定されたＲＢにおいて関心対象ＵＥにアップリンク信号を送信させ、各ＲＢは、関心対象ＵＥがアップリンク信号を送信するよう許可されている周波数帯域および時間スロットに及ぶ複数のサブキャリアを含むことを特徴とするネットワーク基盤ＷＬＳ。
【請求項２６】
前記ＳＭＬＣは、アップリンク送信のために使用される周波数および変調方式を含むアップリンクリソースを前記ＵＥに通知するために、前記ＳＰＳ機能を使用することを特徴とする請求項２５に記載のネットワーク基盤ＷＬＳ。
【請求項２７】
前記ＬＭＵのネットワークは、受信機を含み、前記ＳＭＬＣは、前記ＵＥによって送信されたアップリンク信号に対する前記受信機の感度を向上するために前記ＳＰＳ機能を使用することを特徴とする請求項２６に記載のネットワーク基盤ＷＬＳ。
【請求項２８】
前記ＳＭＬＣは、ＬＭＵが動的スケジューリングシステムによって許容されたよりも長い期間に亘って既知の物理的リソースに関する電磁波データを収集することができるように、アップリンク到達時間差（Ｕ−ＴＤＯＡ）および／または到達角度差（ＡＯＡ）定位のための前記ＳＰＳ機能を可能にすることを特徴とする請求項２７に記載のネットワーク基盤ＷＬＳ。
【請求項２９】
前記ＳＭＬＣは、信号収集時間を延長する一方で、アップリンク受信機リソースのスケジューリングのために前記ＳＰＳ機能を採用することを特徴とする請求項２８に記載のネットワーク基盤ＷＬＳ。
【請求項３０】
前記アップリンク信号測定値は、時間基盤測定値を含むことを特徴とする請求項２９に記載のネットワーク基盤ＷＬＳ。
【請求項３１】
前記アップリンク信号測定値は、出力基盤測定値を含むことを特徴とする請求項２９に記載のネットワーク基盤ＷＬＳ。
【請求項３２】
アップリンク信号測定値は、角度基盤測定値を含むことを特徴とする請求項２９に記載のネットワーク基盤ＷＬＳ。
【請求項３３】
前記ＷＬＳは、前記ＵＥからのアップリンク信号の検出および参照ＬＭＵとしての役割に最も相応しいＬＭＵを識別し、協働ＬＭＵとしての役割を果たす追加ＬＭＵを識別し、
前記参照ＬＭＵと前記協働ＬＭＵとは、同期化時間でアップリンク信号を収集し、前記
参照ＬＭＵは、参照信号を抽出し、参照信号到達時間（ＴＯＡ）を判定することを特徴とする請求項２５に記載のネットワーク基盤ＷＬＳ。
【請求項３４】
前記ＵＥアップリンク信号が送信される周波数帯域は、１８０ｋＨｚ帯域で１２のサブキャリアに分割され、
各帯域は、０．５ミリ秒のスロットに時間分割され、前記スロットは１．０ミリ秒のサブフレームにグループ化され、
前記１２のサブキャリアとサブフレームとの交差は、各ＲＢを規定し、
前記ｅＮＢは、関心対象ＵＥについてＲＢの既知のパターンを設定するために、前記ＳＰＳ機能を使用することを特徴とする請求項２５に記載のネットワーク基盤ＷＬＳ。
【請求項３５】
周波数領域および時間領域の双方における物理的リソースの動的スケジューリングに依存する単一キャリア周波数分割多重アクセス（ＳＣ−ＦＤＭＡ）基盤無線通信ネットワークと関連付けられたネットワーク基盤無線定位システム（ＷＬＳ）であって、ダウンリンクおよびアップリンク電磁波リソースの双方は、ｅＮｏｄｅＢ（ｅＮＢ）の制御下にあり、ユーザ機器（ＵＥ）装置は、エアインタフェースによってサービス中のｅＮＢと通信し、前記エアインタフェースは、直交周波数分割多重アクセス（ＯＦＤＭＡ）基盤ダウンリンクおよびＳＣ−ＦＤＭＡ基盤アップリンクを備え、前記ネットワーク基盤無線定位システム（ＷＬＳ）は、
地理的に分散した位置測定ユニット（ＬＭＵ）のネットワークと、
前記ｅＮＢと通信し、少なくとも１つのＬＭＵがより長い期間に亘ってアップリンク信号測定値を積分できるように半永続スケジューリング（ＳＰＳ）機能を使用するサービス中の移動体定位センター（ＳＭＬＣ）とを備え、
前記ＵＥアップリンク信号が送信される周波数帯域は、１８０ｋＨｚ帯域で１２のサブキャリアに分割され、
各帯域は、０．５ミリ秒のスロットに時間分割され、前記スロットは１．０ミリ秒のサブフレームにグループ化され、
前記１２のサブキャリアとサブフレームとの交差は、各リソースブロック（ＲＢ）を規定し、
前記ｅＮＢは、関心対象ＵＥについてＲＢの既知のパターンを設定するために、前記ＳＰＳ機能を使用し、
第１周期において、前記関心対象ＵＥは、２つのＲＢを使用して送信することを許可され、或るＵＥが２つ以上のＲＢを必要とする場合、前記ｅＮＢは、前記周波数領域において、２つ以上の追加連続ＲＢを割り当てることを特徴とするネットワーク基盤ＷＬＳ。
【請求項３６】
第１周期において、前記関心対象ＵＥは、２つのリソースブロックを使用して送信することを許可され、或るＵＥが２つ以上のＲＢを必要とする場合、前記ｅＮＢは、前記周波数領域において、２つ以上の追加非連続ＲＢを割り当てることを特徴とする請求項３４に記載のネットワーク基盤ＷＬＳ。
【請求項３７】
周波数ホッピングまたは選択されたキャリアの拡大を通じて利用可能なスペクトル帯域幅に亘ってＲＢパターンが分布されることにより、帯域幅合成を使用して、到達時間差（ＴＤＯＡ）定位精度をさらに向上できるようにすることを特徴とする請求項３６に記載のネットワーク基盤ＷＬＳ。
【請求項３８】
前記ＷＬＳはさらに、より広い帯域幅に亘ってアップリンク信号を収集するため、サウンディング参照信号（ＳＲＳ）を採用することを特徴とする請求項２５に記載のネットワーク基盤ＷＬＳ。
【請求項３９】
前記ＳＭＬＣは、前記ＵＥにＳＲＳを送信するよう指示するために前記ｅＮＢを使用し、前記ＷＬＳは、前記受信したアップリンク信号の時間分解能を向上するために前記ＵＥのアップリンクＳＲＳ送信を使用することを特徴とする請求項３８に記載のネットワーク基盤ＷＬＳ。
【請求項４０】
前記ＳＭＬＣはさらに、前記ＵＥに、アップリンク到達時間差（Ｕ−ＴＤＯＡ）定位の際に前記ＳＲＳを送信するよう指示するために前記ｅＮＢを使用し、前記ＷＬＳは、より広い帯域幅に亘って無線周波数（ＲＦ）データを収集することにより、マルチパス環境においてより正確なＴＤＯＡ測定値が得られるようにするためにＬＭＵを使用することを特徴とする請求項３９に記載のネットワーク基盤ＷＬＳ。
【請求項４１】
ＳＲＳ送信は、前記送信の既知の時間／周波数部分において、各直交周波数分割多重（ＯＦＤＭ）記号とともに送信され、定位に関与のＬＭＵは、前記ＵＥからのＲＢおよびＳＲＳ送信を受信することを特徴とする請求項４０に記載のネットワーク基盤ＷＬＳ。
【請求項４２】
前記ＷＬＳは、Ｕ−ＴＤＯＡ定位にＳＰＳおよびＳＲＳ信号の双方を使用することにより、アップリンクＳＰＳ送信の積分がより長くなることに起因する感度の向上と、アップリンクＳＲＳ送信の帯域幅がより広くなることに起因する遅延拡大の低減とをもたらすこ
とを特徴とする請求項４１に記載のネットワーク基盤ＷＬＳ。
【請求項４３】
局所的電磁波伝播環境に基づく定位性能の向上、または、局所展開された無線定位リソースの利用のために、定位関連アップリンク信号送信の調整を行う手段をさらに備えることを特徴とする請求項２５に記載のネットワーク基盤ＷＬＳ。
【請求項４４】
利用可能な信号収集時間、帯域幅、および出力を制御する調整可能なパラメータを動的に最適化するため、以下のステップを実施する手段を備え、以下のステップとは、
データベースを介してｅＮＢに、アップリンク設定構成データ（ＵＳＣＤ）を提供するステップと、
定位要求またはトリガを受信するステップと、
現在のＵＥアップリンクパラメータ設定、アップリンク信号測定値、およびサービス中のセル識別を使用して、前記定位要求に最も相応しい前記ＵＳＣＤを見出すためにデータベース検索を実施するステップと、
前記関心対象ＵＥのための特別対応要求の一部として、前記ｅＮＢに前記ＵＳＣＤを転送するステップと、
前記特別対応要求に応じて、前記ＵＥにそのアップリンク送信パラメータを変更させるために、前記ｅＮＢを採用するステップと、
ＬＭＵ受信機に、前記ＵＥからのアップリンク送信を受信するようタスクを課すステップと、
前記ＵＥアップリンク信号に対して信号収集および合致する複製との相関処理を実施するため、前記ＬＭＵ受信機を使用して、信号到達時間差（ＴＤＯＡ）情報を判定するステップと、
前記信号ＴＤＯＡ情報を使用して、最終位置および位置誤差推定を計算するステップとであることを特徴とする請求項４３に記載のネットワーク基盤ＷＬＳ。
【請求項４５】
周波数領域および時間領域の双方における物理的リソースの動的スケジューリングに依存する単一キャリア周波数分割多重アクセス（ＳＣ−ＦＤＭＡ）基盤無線通信ネットワークと関連付けられたネットワーク基盤無線定位システム（ＷＬＳ）であって、ダウンリンクおよびアップリンク電磁波リソースの双方は、ｅＮｏｄｅＢ（ｅＮＢ）の制御下にあり、ユーザ機器（ＵＥ）装置は、エアインタフェースによってサービス中のｅＮＢと通信し、前記エアインタフェースは、直交周波数分割多重アクセス（ＯＦＤＭＡ）基盤ダウンリンクおよびＳＣ−ＦＤＭＡ基盤アップリンクを備え、前記ネットワーク基盤無線定位システム（ＷＬＳ）は、
地理的に分散した位置測定ユニット（ＬＭＵ）のネットワークと、
前記ｅＮＢと通信し、ＬＭＵがより広い帯域幅に亘ってアップリンク信号測定値を収集できるようにサウンディング参照信号（ＳＲＳ）を使用するサービス中の移動体定位センター（ＳＭＬＣ）とを備え、
前記ＳＭＬＣは、前記ＵＥにＳＲＳを送信するよう指示するために前記ｅＮＢを使用し、前記ＵＥのアップリンクＳＲＳ送信は、前記受信したアップリンク信号の時間分解能を向上するために前記ＷＬＳによって使用され、
前記ＳＲＳの拡大された帯域幅は、到達時間差（ＴＤＯＡ）基盤位置計算の性能を向上するために使用され、
前記ＳＭＬＣは、前記ＵＥに、アップリンク到達時間差（Ｕ−ＴＤＯＡ）定位の際に前記ＳＲＳを送信するよう指示するために前記ｅＮＢを使用し、ＬＭＵは、より広い帯域幅に亘って無線周波数（ＲＦ）データを収集することにより、マルチパス環境においてより正確なＴＤＯＡ測定値が得られるようにし、
ＳＲＳバーストは、前記記号の既知の時間／周波数部分において、各直交周波数分割多重（ＯＦＤＭ）記号とともに送信され、定位に関与のＬＭＵは、前記ＵＥからのＳＲＳ送信を受信することを特徴とするネットワーク基盤ＷＬＳ。
【請求項４６】
周波数領域および時間領域の双方における物理的リソースの動的スケジューリングを使用する単一キャリア周波数分割多重アクセス（ＳＣ−ＦＤＭＡ）基盤無線通信ネットワークと関連付けられたネットワーク基盤無線定位システム（ＷＬＳ）において使用するための受信機感度向上方法であって、ダウンリンクおよびアップリンク電磁波リソースの双方は、ｅＮｏｄｅＢ（ｅＮＢ）の制御下にある方法であって、
位置測定ユニット（ＬＭＵ）がより長期間に亘ってアップリンク信号測定値を積分できるようにするため、半永続スケジューリング（ＳＰＳ）機能を使用するステップを備え、
前記ＳＰＳ機能は、関心対象ユーザ機器（ＵＥ）についてリソースブロック（ＲＢ）割り当てパターンを設定するために使用され、前記ＲＢ割り当てパターンは、複数の時間周期の規定されたＲＢにおいて関心対象ＵＥにアップリンク信号を送信させ、各ＲＢは、関心対象ＵＥがアップリンク信号を送信するよう許可されている周波数帯域および時間スロットに及ぶ複数のサブキャリアを含み、
前記ＬＭＵがより広い帯域幅に亘ってアップリンク信号測定値を収集できるようにするため、サウンディング参照信号（ＳＲＳ）を使用するステップを備えることを特徴とする方法。